(57)【要約】【課題】  表示画像のアスペクト比を変更でき、かつ、製造コストを低減できる画像表示装置を提供すること。【解決手段】  各矩形分割領域Ａ〜Ｃごとに所定の分割画像を表示する液晶ディスプレイ２と、各分割画像をそれぞれ反射して、当該各分割画像を略一直線上に並べて表示画像Ｇを構成する画像構成光学系３とを設ける。これにより、液晶ディスプレイ２の表示面２１とはアスペクト比が異なる表示画像Ｇを構成して表示できる。このような表示画像Ｇを表示する際にも、液晶ディスプレイを複数設ける必要はなく、液晶ディスプレイは１つあれば十分であるから、画像表示装置１の製造コストを低減することができる。【選択図】  図１
2006177998.tif 000002
【特許請求の範囲】
【請求項１】
表示面内における少なくとも２以上の複数の矩形分割領域ごとに所定の分割画像を表示可能とする表示装置本体と、
前記表示装置本体の表示面側に設けられ、前記表示面からの各分割画像をそれぞれ反射させることで、前記各分割画像を略一直線上に並べて１つの表示画像を構成する画像構成光学系と、
を備えることを特徴とする画像表示装置。
【請求項２】
請求項１に記載の画像表示装置において、
前記画像構成光学系は、前記各分割画像をそれぞれ反射させる複数の反射光学素子を有して構成されている、
ことを特徴とする画像表示装置。
【請求項３】
請求項２に記載の画像表示装置において、
前記各反射光学素子は、それぞれ、ミラーとして構成されている、
ことを特徴とする画像表示装置。
【発明の詳細な説明】
【技術分野】
【０００１】
本発明は、画像表示装置に関する。
【背景技術】
【０００２】
従来、画像表示装置として、ＣＲＴディスプレイ、液晶ディスプレイ、プラズマディスプレイ、有機ＥＬ（Ｅｌｅｃｔｒｏ  Ｌｕｍｉｎｅｓｃｅｎｃｅ）ディスプレイなどの各種のディスプレイが知られている。これらの画像表示装置では、一般的に、表示対象である映像信号もしくは画像信号のアスペクト比に対応して画素の配置が決定されている。従来では、表示面のアスペクト比は、概ね４：３または１６：９に設定されている。
さて、広告等を目的として画像表示装置を車両等に設ける場合には、前述したような既存のアスペクト比を有する画像よりも、一方の幅が広く、かつ、他方の幅が狭い細長画像を表示するのが好ましい。このため、表示される画像のアスペクト比を変更する技術が望まれている。
【０００３】
このような技術として、表示される画像のアスペクト比を簡単な構成で変更する技術が考案されている（例えば、特許文献１参照）。
特許文献１の「従来の技術」に記載されている技術では、表示器を２つ並べて配置し、各表示器に表示される各画像を併せて１つの画像とすることで、表示される画像のアスペクト比を変更する。
また、特許文献１にかかる発明では、２つのプロジェクタからの各画像をスクリーン上に投射し、各画像を併せて１つの画像とすることで、スクリーン上に表示される画像のアスペクト比を変更する。
【０００４】
【特許文献１】実開平６−６１５６４号公報
【発明の開示】
【発明が解決しようとする課題】
【０００５】
しかしながら、特許文献１に記載の各技術では、表示される画像のアスペクト比を変更するために、表示器やプロジェクタ（表示装置本体）を複数設ける必要がある。このため、表示装置の製造コストを十分に低減することができないという問題がある。
【０００６】
本発明の目的は、表示画像のアスペクト比を変更でき、かつ、製造コストを低減できる画像表示装置を提供することである。
【課題を解決するための手段】
【０００７】
本発明の画像表示装置は、表示面内における少なくとも２以上の複数の矩形分割領域ごとに所定の分割画像を表示可能とする表示装置本体と、前記表示装置本体の表示面側に設けられ、前記表示面からの各分割画像をそれぞれ反射させることで、前記各分割画像を略一直線上に並べて１つの表示画像を構成する画像構成光学系と、を備えることを特徴とする。
ここで、「表示装置本体」とは、例えば、前述したような各種のディスプレイを意味する。
【０００８】
以上のような本発明の画像表示装置では、表示装置本体の表示面内の各矩形分割領域ごとに表示される各分割画像を、画像構成光学系が略一直線上に並べて１つの表示画像を構成する。
このような本発明の画像表示装置によれば、１つの表示装置本体における各矩形分割領域に表示された各分割画像を画像構成光学系によって組み合わせて、表示面とは異なるアスペクト比を有する表示画像を構成できる。このように、表示画像のアスペクト比を変更するためには、特許文献１に記載の各技術のように複数の表示装置本体を設ける必要がなく、１つの表示装置本体を設ければ十分であるので、本発明によれば、画像表示装置の製造コストを低減することができる。
【０００９】
本発明の画像表示装置では、前記画像構成光学系は、前記各分割画像をそれぞれ反射させる複数の反射光学素子を有して構成されている、ことが好ましい。
このような構成の画像表示装置によれば、画像構成光学系における各反射光学素子によって各分割画像をそれぞれ反射し、略一直線上に並べて１つの表示画像を構成することができる。
【００１０】
また、本発明の画像表示装置では、前記各反射光学素子は、それぞれ、ミラーとして構成されている、ことが好ましい。
ここで、ミラーは、平面状のものでも、曲面状のものでもよい。特に、簡素で安価な平面状のミラーを用いれば、画像表示装置を簡素かつ安価に製造することができる。
【発明を実施するための最良の形態】
【００１１】
次に、本発明の実施形態を図面に基づいて説明する。
図１は、画像表示装置１の構成を示す斜視図である。図２は、画像表示装置１における液晶ディスプレイ２を示す平面図である。図３は、画像表示装置１を示す側面図である。図４は、画像表示装置１を示す正面図である。図５は、画像表示装置１を示す平面図である。図６は、画像表示装置１によって表示される表示画像Ｇを示す正面図である。
【００１２】
図１，図２を用いて画像表示装置１の構成について説明する。
画像表示装置１は、液晶ディスプレイ２と、画像構成光学系３とを備える。
本発明の表示装置本体としての液晶ディスプレイ２は、テレビやパソコンなどに用いられている一般的な形式のものであり、画像を表示する矩形の表示面２１を有する。表示面２１は、３つの矩形分割領域Ａ，Ｂ，Ｃによって構成されている。ここで、図示しない制御装置による制御の下、各矩形分割領域Ａ〜Ｃには所定の矩形分割画像が表示可能になっている。
【００１３】
矩形分割領域Ａは、矩形の表示面２１を水平線Ｌ１（図２中）で分割することによって形成される２つの矩形領域のうち一方の矩形領域である。矩形分割領域Ｂおよび矩形分割領域Ｃは、水平線Ｌ１で分割することによって形成される他方の矩形領域を、さらに、垂直線Ｌ２（図２中）で等分することによって形成される互いに同形同大の２つの矩形領域である。なお、矩形分割領域Ａの縦の長さと、矩形分割領域ＢおよびＣの横の長さとは等しく設定されている。例えば、表示面２１がアスペクト比４：３（横が４、縦が３）の場合、矩形分割領域Ａの縦の長さを２、横の長さを４，矩形分割領域ＢおよびＣの縦の長さを１、横の長さを２に設定すれば（以上の数字は比を表す）、表示面２１の全面を利用して３つの矩形分割領域Ａ〜Ｃを互いに隙間なく形成することができる。
【００１４】
各矩形分割領域Ａ〜Ｃに表示される各矩形分割画像をそれぞれ反射し、これらを略一直線上に並べて１つの表示画像を構成する画像構成光学系３は、液晶ディスプレイ２の表示面２１側に設けられ、５枚の反射ミラー３１〜３５を備えて構成されている。
矩形のミラー３１は、矩形分割領域Ａと対向して設けられ、その一辺が線Ｌ１と略一致して配置されている。ここで、ミラー３１は、矩形分割領域Ａの法線方向に対して４５°の角度を為す方向を法線方向とするように配置されている。
矩形のミラー３２は、矩形分割領域Ｂと対向して設けられ、その一辺が線Ｌ２と略一致して配置されている。ここで、ミラー３２は、矩形分割領域Ｂの法線方向に対して４５°の角度を為す方向を法線方向とするように配置されている。
矩形のミラー３３は、ミラー３２と対向して設けられ、その一辺が、ミラー３２の一頂点から矩形分割領域Ｂの一頂点に下ろした垂線Ｌ３と略一致して配置されている。ここで、ミラー３３は、線Ｌ１の方向および線Ｌ２の方向の２つ方向に対して４５°の角度を為す方向を法線方向とするように配置されている。
矩形のミラー３４は、矩形分割領域Ｃと対向して設けられ、その一辺が線Ｌ２と略一致して配置されている。ここで、ミラー３４は、矩形分割領域Ｃの法線方向に対して４５°の角度を為す方向を法線方向とするように配置されている。
矩形のミラー３５は、ミラー３４と対向して設けられ、その一辺が、ミラー３４の一頂点から矩形分割領域Ｃの一頂点に下ろした垂線Ｌ４と略一致して配置されている。ここで、ミラー３５は、線Ｌ１の方向および線Ｌ２の方向の２つ方向に対して４５°の角度を為す方向を法線方向とするように配置されている。
【００１５】
続いて、図１〜図６を参照して、以上のような構成を備える画像表示装置１の作用について、「Ｆ」が３つ並んだ画像を表示する場合を例にとって説明する。
この例の場合に液晶ディスプレイ２の表示面２１における各分割領域Ａ〜Ｃに表示される各分割画像は、図２に示される。すなわち、分割領域Ａには「Ｆ」を上下反転した文字が表示され、分割領域Ｂには「Ｆ」を反時計回り方向に９０°回転した文字が表示され、分割領域Ｃには「Ｆ」を時計回り方向に９０°回転した文字が表示される。
【００１６】
図３に示されるように、分割領域Ａから出射された光は、ミラー３１によって反射され、表示面２１の縦方向（図３における右方向）に沿って進行する。図１に示されるように、この断面矩形状の光の一断面をＡ´とすると、この光断面Ａ´内には、分割領域Ａ内の上下反転した「Ｆ」（図２参照）の像として、正立した「Ｆ」の文字が表示される。
【００１７】
図４に示されるように、分割領域Ｂから出射された光は、ミラー３２によって反射されてミラー３３に照射される。さらに、図５に示されるように、この光はミラー３３によって反射され、表示面２１の縦方向（図５における下方向）に沿って進行する。図１に示されるように、この断面矩形状の光の一断面をＢ´（ただし、前記光断面Ａ´と同一平面上のもの）とすると、この光断面Ｂ´内には、分割領域Ｂ内の反時計回り方向に９０°回転した「Ｆ」（図２参照）の像として、正立した「Ｆ」の文字が表示される。
なお、各ミラー３１，３２，３３を適当に配置することによって、矩形光断面Ｂ´が、矩形光断面Ａ´の左側（図１中）に、互いに重なり合わず、かつ、隙間なく隣接するようになっている。ここで、矩形分割領域Ａの縦の長さと矩形分割領域Ｂの横の長さとが等しいことから、矩形光断面Ａ´の縦の長さと矩形光断面Ｂ´の縦の長さとが互いに等しくなっており、両矩形光断面は滑らかに連続している。
【００１８】
図４に示されるように、分割領域Ｃから出射された光は、ミラー３４によって反射されてミラー３５に照射される。さらに、図５に示されるように、この光はミラー３５によって反射され、表示面２１の縦方向（図５における下方向）に沿って進行する。図１に示されるように、この断面矩形状の光の一断面をＣ´（ただし、前記光断面Ａ´およびＢ´と同一平面上のもの）とすると、この光断面Ｃ´内には、分割領域Ｃ内の時計回り方向に９０°回転した「Ｆ」（図２参照）の像として、正立した「Ｆ」の文字が表示される。
なお、各ミラー３１，３４，３５を適当に配置することによって、矩形光断面Ｃ´が、矩形光断面Ａ´の右側（図１中）に、互いに重なり合わず、かつ、隙間なく隣接するようになっている。ここで、矩形分割領域Ａの縦の長さと矩形分割領域Ｃの横の長さとが等しいことから、矩形光断面Ａ´の縦の長さと矩形光断面Ｃ´の縦の長さとが互いに等しくなっており、両矩形光断面は滑らかに連続している。
【００１９】
図６に、画像表示装置１によって表示される表示画像Ｇの一例としての、正立した「Ｆ」の文字が３つ隣り合って並んだ画像を示す。なお、便宜上、前記各光断面Ａ´〜Ｃ´を含む平面内における表示画像Ｇを図示している。ここで、各光断面Ａ´〜Ｃ´が滑らかに連続して一直線上に並べられているため、１つの表示画像Ｇが構成されている。ここで、前述した例のような表示面２１のアスペクト比が４：３である場合、矩形分割領域Ａの縦の長さが２横の長さが４、矩形分割領域ＢおよびＣの縦の長さが１横の長さが２、であるので（数字は比を表す。以下同様）、矩形光断面Ａ´の縦の長さが２横の長さが４、矩形光断面Ｂ´およびＣ´の縦の長さが２横の長さが１（矩形分割領域ＢおよびＣとは縦と横が逆転している）である。このときの表示画像Ｇのアスペクト比は、横の長さ：縦の長さ＝６：２＝３：１、となっており、表示面２１のアスペクト比４：３から変更されてより細長い画像が表示されることがわかる。
なお、以上のように表示された表示画像Ｇを見るためには、視線を表示面２１の縦方向、すなわち、画像構成光学系３から反射されてくる光の進行方向に向け、当該表示画像Ｇを構成する光を直視すればよい。
【００２０】
＜実施形態の効果＞
本実施形態によれば、以下の効果を奏することができる。
１つの液晶ディスプレイ２における各矩形分割領域Ａ〜Ｃに表示された各分割画像を画像構成光学系３によって組み合わせて、表示面２１とは異なるアスペクト比を有する表示画像Ｇを構成できる。ここで、特許文献１に記載の各技術のように複数の液晶ディスプレイを設けることなく、１つの液晶ディスプレイによってアスペクト比が変更された表示画像Ｇを表示できるので、画像表示装置１の製造コストを低減することができる。
【００２１】
特許文献１に記載の各技術のように複数の表示装置本体（表示器やプロジェクタ）を設けて細長画像を表示する場合、細長画像の幅が狭いために、各表示装置本体における表示面は、その一部のみが画像の表示に利用されているに過ぎず、各表示面を最大限に利用して画像を表示することができず、効率が悪かった。
これに対して、本実施形態の画像表示装置１によれば、細長の表示画像Ｇを表示する場合にも、各分割領域Ａ〜Ｃのそれぞれに分割画像を表示することにしているので、表示面２１を無駄なく最大限に利用でき、効率良く細長の表示画像Ｇを表示することができる。
【００２２】
矩形分割領域Ａの縦の長さと矩形分割領域ＢおよびＣの横の長さとを等しくして、矩形光断面Ａ´，Ｂ´，Ｃ´の縦の長さを全て一致させ、互いに滑らかに連続させているので、幅が一定の表示画像Ｇを違和感なく表示することができる。
【００２３】
各矩形分割領域Ａ〜Ｃごとに互いに向きの異なる（図２における「Ｆ」の向きを参照）所定の分割画像を表示し、各分割画像を画像構成光学系３によって反射することによって、最終的には向きを揃えて各分割画像を表示することができる。このため、向きの揃った各分割画像を一直線上に並べて一体的に組み合わせた一つの表示画像Ｇを違和感なく表示することができる。
【００２４】
画像構成光学系３を、簡素で安価な平面状の反射ミラー３１〜３５によって構成しているので、画像表示装置１を簡素かつ安価に製造することができる。
【００２５】
＜変形例＞
本発明は、以上で説明した実施形態によって限定されるものではなく、この実施形態を、本発明の目的を達成できる範囲内において変形したものであれば、本発明の技術的範囲に含まれる。
【００２６】
例えば、前記実施形態では、液晶ディスプレイ２の表示面２１を３つの矩形分割領域Ａ〜Ｃに分けていたが、矩形分割領域の数は３つに限らず、複数であればいくつでもよい。また、画像構成光学系における各光学素子の数や配置は、矩形分割領域の数や配置、あるいは、表示したい画像の構成に応じて、適宜自由に変更することができる。
【００２７】
また、前記実施形態では、画像構成光学系３をミラー３１〜３５のみによって構成していたが、ミラーに限らず、プリズムなどの各種の反射光学素子を適宜組み合わせて画像構成光学系を構成してもよい。
【００２８】
また、前記実施形態では、画像表示装置１に静止画像（「Ｆ」が３つ並んだ画像）を表示させる場合について説明したが、画像表示装置１に動画を表示させてもよい。特に、画像表示装置１によれば表示画像Ｇを容易に表示できるが、この表示画像Ｇの長さ方向に沿って文字をスクロールさせてニュースなどの各種の情報を表示することもできる。
【００２９】
また、前記実施形態では、１つの液晶ディスプレイ２を用いて細長の表示画像Ｇを表示する場合について説明したが、これに限らず、複数の液晶ディスプレイを用いて、さらに細長い画像を表示してもよいし、また、２行（あるいは２列）以上の細長の表示画像を表示してもよい。
【００３０】
また、前記実施形態では、液晶ディスプレイ２を本発明の表示装置本体として設けていたが、これに限らず、ＣＲＴディスプレイ，プラズマディスプレイ，有機ＥＬディスプレイなどの各種のディスプレイなどを本発明の表示装置本体として設けてもよい。
【産業上の利用可能性】
【００３１】
本発明は、ヘッドアップディスプレイ、車載用などのナイトビュー装置、広告表示装置、サインポール、スクロールする文字情報などを表示するスクロール式の表示装置などに利用することができる。
【図面の簡単な説明】
【００３２】
【図１】本発明の実施形態にかかる画像表示装置の構成を示す斜視図である。
【図２】画像表示装置における液晶ディスプレイを示す平面図である。
【図３】画像表示装置における液晶ディスプレイおよび画像構成光学系を示す側面図である。
【図４】液晶ディスプレイおよび画像構成光学系を示す正面図である。
【図５】液晶ディスプレイおよび画像構成光学系を示す平面図である。
【図６】画像表示装置によって表示される画像を示す正面図である。
【符号の説明】
【００３３】
２…液晶ディスプレイ，３…画像構成光学系，２１…表示面，Ａ、Ｂ、Ｃ…矩形分割領域
【図１】
2006177998.tif 000003
【図２】
2006177998.tif 000004
【図３】
2006177998.tif 000005
【図４】
2006177998.tif 000006
【図５】
2006177998.tif 000007
【図６】
2006177998.tif 000008